(57)【要約】【課題】印刷物に付与された可視又は不可視の情報と対応して関連づけたカラー潜像表示体で色情報を比較して簡単かつ効果的に認証、真偽判別を可能とする。【解決手段】被印刷基材１の表面に、可視情報が印刷されているとともに、カラー潜像表示体１７が形成されて成り、カラー潜像表示体１７は、複数の基本色要素が配列されて成る色表示面１８を有し、色表示面１８の表面には、上記複数の基本色要素Ｃ、Ｙ、Ｍが選択されて無色蛍光インキ３が印刷され、可視情報と対応して関連づけられたカラー潜像２０〜２２が付与されており、カラー潜像２０〜２２は、紫外線が照射されるとカラー画像として見える。【選択図】        図６
2004181791.tif 000002
【特許請求の範囲】
【請求項１】
被印刷基材の表面に、可視情報が付与又は表示されているとともに、カラー潜像表示体が形成されて成る真偽判別可能な潜像表示体付き印刷物であって、
上記カラー潜像表示体は、複数の基本色要素が配列されて成る色表示面を有し、
上記色表示面の表面には、上記複数の基本色要素が選択されて無色蛍光インキが印刷され、上記可視情報と関連づけられたカラー潜像が付与されており、
上記カラー潜像は、紫外線が照射されるとカラー画像として見えるものであることを特徴とする真偽判別可能な潜像表示体付き印刷物。
【請求項２】
被印刷基材の表面に、可視情報及び不可視情報が付与又は表示されているとともに、カラー潜像表示体が形成されて成る真偽判別可能な潜像表示体付き印刷物であって、
上記カラー潜像表示体は、複数の基本色要素が配列されて成る色表示面を有し、
上記色表示面の表面には、上記複数の基本色要素が選択されて無色蛍光インキが印刷され、少なくとも上記不可視情報と関連づけられたカラー潜像が付与されており、
上記カラー潜像は、紫外線が照射されるとカラー画像として見えるものであることを特徴とする真偽判別可能な潜像表示体付き印刷物。
【請求項３】
上記可視情報は、文字、数字、写真、マーク、模様又は図柄であることを特徴とする請求項１又は２記載の真偽判別可能な潜像表示体付き印刷物。
【請求項４】
上記不可視情報は、蛍光インキ、赤外線吸収インキ、赤外線反射インキ、サーモクロミックインキ、フォトクロミックインキ及びメタメリックインキから選択された１若しくは２以上の特殊インキ、磁気ストライプ、磁気インキ、電子すかし及びＩＣチップから選択された１若しくは２以上の電磁的記録、バーコード又はホログラムの不可視情報手段で付与されたものであることを特徴とする請求項２記載の真偽判別可能な潜像表示体付き印刷物。
【請求項５】
上記カラー潜像表示体が複数形成されており、該複数のカラー潜像表示体にそれぞれ付与された上記カラー潜像は互いに関連づけられたものであることを特徴とする請求項１〜４のいずれか１項に記載の真偽判別可能な潜像表示体付き印刷物。
【請求項６】
上記カラー潜像表示体は、可視情報の一部を構成するものであることを特徴とする請求項１〜５のいずれか１項に記載の真偽判別可能な潜像表示体付き印刷物。
【請求項７】
上記被印刷基材は、光が透過する透明な材料で形成されていることを特徴とする請求項１〜６のいずれか１項に記載の真偽判別可能な潜像表示体付き印刷物。
【請求項８】
上記カラー潜像は、色フィルターを通して観察すると有意味な情報が見えるように形成されていることを特徴とする請求項１〜７のいずれか１項に記載の真偽判別可能な潜像表示体付き印刷物。
【請求項９】
上記無色蛍光インキは、可視的には無色であるが、上記紫外線が照射されると、無色又は色のついた励起光が生じることを特徴とする請求項１〜８のいずれか１項に記載の真偽判別可能な潜像表示体付き印刷物。
【請求項１０】
画像変換装置、暗号付加装置、出力データ格納メモリ、色表示面作成装置、画素発生装置及び蛍光印刷出力装置を備えた潜像表示体付き印刷物の作成装置であって、
上記画像変換装置は、カラー原図データを複数の画素から成るデジタル画像データに変換し、
暗号付加装置は、可視情報と関連した有意味情報を上記デジタル画像データに付加し、
上記出力データ格納メモリは、上記画像変換装置の出力を記憶し、
画素発生装置は、基本色要素の１組又は複数の組から成る画素が複数配列されて成る色表示面を形成し、
色表示面作成装置は、上記出力データ格納メモリから送られてくるデジタルデータに基づいて上記色表示面中の蛍光印刷される画素が全て選択されたカラー潜像デジタルデータを形成し、
蛍光印刷出力装置は、上記カラー潜像デジタルデータに基づいて、上記色表示面中の選択された画素の表面に無色蛍光インキにより蛍光印刷を施すものであることを特徴とする潜像表示体付き印刷物の作成装置。
【発明の詳細な説明】
【０００１】
【発明の属する技術分野】
本発明は、通常の白色光では見えないが、ブラックライトを照射するとカラー付きの画像が見える蛍光潜像が付与され、身分証明書、ＩＤカード、パスポート、有価証券等の認証や偽造防止に利用された潜像表示体付き印刷物及びその作成装置に関する。
【０００２】
【従来の技術】
従来、カラー付きの潜像を有する印刷物としては次のような技術が知られている。
（１）Ｙ（イエロー）、Ｃ（シアン）、Ｍ（マゼンダ）の三原色インキが所定の寸法の幅を有する帯状となるように隙間なく交互に印刷されている色画像形成シートを利用し、被覆手段で選択的に覆い隠すことにより、所望の色彩の画像を得るという技術は知られている（例えば、特許文献１〜６参照。）。
【０００３】
（２）Ｙ、Ｃ、Ｍの三原色インキと蛍光色Ｆが帯状に交互に印刷されている色画像形成シートを利用し、被覆手段で選択的に覆い隠すことにより、所望の色彩の画像を得るという技術は知られている（例えば、特許文献７参照。）。
【０００４】
（３）Ｙ、Ｃ、Ｍの三原色インキによる基本色要素から成る色表示面上に、機能性色材（緑色発光蛍光インキ）を重ね刷りすることにより、ブラックライトを照射することで、重ね刷りした基本色要素を発光させ色調を有するカラー画像を表示させるという技術は知られている（例えば、特許文献８参照。）。
【０００５】
【特許文献１】
特開平７−１３７３４９号公報（段落００１４、図１）
【特許文献２】
特開平８−３１０１０２号公報（段落００１７、図１）
【特許文献３】
特開平８−３１０１０３号公報（段落００２１、図１）
【特許文献４】
特開平９−１５０５６９号公報（段落００１１、図１）
【特許文献５】
特開平９−１９７９９６号公報（段落００１２、図１）
【特許文献６】
特開平９−２７２２５２号公報（図１１）
【特許文献７】
特開平９−２６７５４３号公報（段落００１３〜００１５、図１）
【特許文献８】
特開平１１−３０１０８９号公報（段落００５９、図２１）
【０００６】
【発明が解決しようとする課題】
上記従来技術（１）、（２）は、Ｙ、Ｃ、Ｍの色画像形成シートを利用し、被覆手段で選択的に覆い隠すことにより、所望の色彩の画像を得るという技術であるが、色画像形成シート上に、一々被覆手段を覆って観察する必要があった。特に従来技術（２）は、蛍光色Ｆが設けられているが、単に三原色インキと混色して明るくするものであり、特に潜像模様等を形成するものではない。
【０００７】
又、従来技術（３）は、ブラックライトで潜像をカラー画像として表示するものであり、身分証明書等の印刷物に可視的に又は不可視に付与された情報（例えば、番号、顔写真、ロゴマーク、模様、図柄等）と対応して関連する意味のある情報（有意味情報）等を付与するものではなく、身分証明書の認証や偽造防止機能という観点からさらに改良が必要であった。
【０００８】
本発明は、上記従来のカラー潜像を有する身分証明書等の印刷物の問題を解決することを目的とするものであり、印刷物に付与された可視又は不可視の情報と対応して関連づけられ、特に色情報で対応して関連づけられるようにするカラー潜像を有し、認証、偽造防止効果の大きな潜像表示体付き印刷物を実現することを課題とするものである。
【０００９】
【課題を解決するための手段】
本発明は上記課題を解決するために、被印刷基材の表面に、可視情報が付与又は表示されているとともに、カラー潜像表示体が形成されて成る真偽判別可能な潜像表示体付き印刷物であって、上記カラー潜像表示体は、複数の基本色要素が配列されて成る色表示面を有し、上記色表示面の表面には、上記複数の基本色要素が選択されて無色蛍光インキが印刷され、上記可視情報と関連づけられたカラー潜像が付与されており、上記カラー潜像は、紫外線が照射されるとカラー画像として見えるものであることを特徴とする真偽判別可能な潜像表示体付き印刷物を提供する。
【００１０】
本発明は上記課題を解決するために、被印刷基材の表面に、可視情報及び不可視情報が付与又は表示されているとともに、カラー潜像表示体が形成されて成る真偽判別可能な潜像表示体付き印刷物であって、上記カラー潜像表示体は、複数の基本色要素が配列されて成る色表示面を有し、上記色表示面の表面には、上記複数の基本色要素が選択されて無色蛍光インキが印刷され、少なくとも上記不可視情報と関連づけられたカラー潜像が付与されており、上記カラー潜像は、紫外線が照射されるとカラー画像として見えるものであることを特徴とする真偽判別可能な潜像表示体付き印刷物を提供する。
【００１１】
上記可視情報は、文字、数字、写真、マーク、模様又は図柄等、或いはその他の可視的情報表示手段で付与されたものである構成としてもよい。
【００１２】
上記不可視情報は、蛍光インキ、赤外線吸収インキ、赤外線反射インキ、サーモクロミックインキ、フォトクロミックインキ及びメタメリックインキから選択された１若しくは２以上の特殊インキ、磁気ストライプ、磁気インキ、電子すかし及びＩＣチップから選択された１若しくは２以上の電磁的記録、バーコード又はホログラムの不可視情報手段で付与されたものである構成としてもよい。
【００１３】
上記カラー潜像表示体が複数形成されており、該複数のカラー潜像表示体にそれぞれ付与された上記カラー潜像は互いに関連づけられた構成としてもよい。
【００１４】
上記カラー潜像表示体は、可視情報の一部を構成するようにしてもよい。
【００１５】
上記被印刷基材は、光が透過する透明な材料で形成されている構成としてもよい。
【００１６】
上記カラー潜像は、色フィルターを通して観察すると有意味な情報が見えるように形成されている構成としてもよい。
【００１７】上記無色蛍光インキは、可視的には無色であるが、上記紫外線が照射されると、無色又は色のついた励起光が生じることを特徴とする。
【００１８】
本発明は上記課題を解決するために、画像変換装置、暗号付加装置、出力データ格納メモリ、色表示面作成装置、画素発生装置及び蛍光印刷出力装置を備えた潜像表示体付き印刷物の作成装置であって、上記画像変換装置は、カラー原図データを複数の画素から成るデジタル画像データに変換し、暗号付加装置は、可視情報と関連した有意味情報を上記デジタル画像データに付加し、出力データ格納メモリは、上記画像変換装置の出力を記憶し、画素発生装置は、基本色要素の１組又は複数の組から成る画素が複数配列されて成る色表示面を形成し、色表示面作成装置は、上記出力データ格納メモリから送られてくるデジタルデータに基づいて上記色表示面中の蛍光印刷される画素が全て選択されたカラー潜像デジタルデータを形成し、蛍光印刷出力装置は、上記カラー潜像デジタルデータに基づいて、上記色表示面中の選択された画素の表面に無色蛍光インキにより蛍光印刷を施すものであることを特徴とする潜像表示体付き印刷物の作成装置を提供する。
【００１９】
【発明の実施の形態】
本発明に係る潜像表示体付き印刷物及びその作成装置の実施の形態を実施例に基づいて図面を参照して、以下に説明する。
【００２０】
（原理）
図１〜３は、本発明が利用する蛍光潜像に関する基本的な原理を説明する図である。本発明に係る潜像表示体付き印刷物は、例えば、イエロー（黄、以下「Ｙ」という。）、シアン（藍、以下「Ｃ」という。）、マゼンダ（紅赤、以下「Ｍ」という。）の三色の夫々を基本色要素とし、この三色の基本色要素Ｙ、Ｃ、Ｍから成る画素が多数、被印刷基材１の表面に通常の色インキで印刷された印刷面２を有する。図１（ａ）〜（ｄ）に示すものは、このような印刷面２を構成する被印刷基材１の表面の画素の一つを拡大して示すものである。
【００２１】
三色の基本色要素Ｙ、Ｃ、Ｍが夫々１つから成る組における三色の基本色要素Ｙ、Ｃ、Ｍの互いの幾何学的配置は、図１に示すものは、Ｙ、Ｃ、Ｍと一列に配列しているが、特にこのような配置としなくても、その他の配置であってもよい。又、表示体を特定するため選択的にその他の配置としなくてはならない場合もある。
【００２２】
又、図１では、説明の都合上、Ｙ、Ｃ、Ｍの三色の基本色要素が夫々１つづつ一列に印刷されて成る組一つ（一組）で、一つの画素を構成するものを示したが、画素を構成する三色の基本色要素の組は、一組から構成されるものとは限らず、選択すべき階調数の大きさによって二組以上から構成される場合もある。
【００２３】
図１（ａ）の左図に示すようなＹ、Ｃ、Ｍの三色の基本色要素から成る印刷面２を、通常の白色光（自然光、電灯、蛍光灯等の光）下で観察すると、拡大鏡等を使用して微視的に観察した場合は、Ｙ、Ｃ、Ｍの基本色要素が夫々観察できるが、全体として観察すると、図１（ａ）の右図に示すように、並置混色によって黒（Ｂｌａｃｋ。実際は黒みがかった褐色。）に見える。
【００２４】
図１（ｂ）の左図は、図１（ａ）の左図に示す印刷面２のＣの基本色要素の表面に選択的に無色蛍光インキ３を印刷で付与したものを示す。この印刷面２も通常の白色光下で観察すると、全体的には並置混色で黒みがかった褐色に見える。ここで、本明細書における「無色蛍光インキ３」は、蛍光物質を含有する無色のインキであって、通常の白色光下で観察する可視的には無色であるが、その印刷面にブラックライトを照射すると励起光を生じる。
【００２５】
本明細書におけるこの励起光は、▲１▼無色若しくはほぼ無色（「ほぼ無色」とは色を呈してもあまり色づいて見えない。）の場合も含まれるし、▲２▼ブラックライトの特定の波長領域が強いことにより、或いは無色蛍光インキの材料自体により、ある波長域の色を呈する場合も含まれる。但し、この原理説明、以下の実施例及びその変形例では、説明を分かりやすくするために、ブラックライトを照射すると生じる励起光は、▲１▼の無色若しくはほぼ無色であるものとして説明を進める。
【００２６】
今、この印刷面２にブラックライトを照射（真っ暗な中でブラックライトを照射）すると、Ｃの基本色要素の表面に付与された無色蛍光インキ３が励起されて発光する。そして、この励起光がＣの基本色要素を照射して反射され、図１（ｂ）の右図に示すように、印刷面２中、Ｃの基本色要素が青色を呈して見える。なお、以下、ブラックライトを照射する場合は、真っ暗の中で照射するので、無色蛍光インキ３が励起されて発光するもの以外は、真っ暗の中であるから見えない（図１（ｂ）、（ｃ）の点線の部分参照。）。
【００２７】
図１（ｃ）の左図は、図１（ａ）の左図に示す印刷面２のＹ、Ｃの基本色要素の表面に無色蛍光インキ３を印刷で付与したものを示す。この印刷面２も通常の白色光下で観察すると、図１（ａ）の右図に示すように、全体的には並置混色により黒みがかった褐色に見える。しかし、この印刷面２にブラックライトを照射すると、Ｙ、Ｃの基本色要素の表面に付与された無色蛍光インキ３が励起されて発光する。
【００２８】
この結果、この励起光がＹ、Ｃの基本色要素に照射して反射され、黄色を呈する反射光と青色を呈する反射光が生じ、これら反射光の二つの色が加色混合（並置混色）して、図１（ｃ）の右図に示すように、印刷面２中、Ｙ、Ｃの基本色要素は緑色を呈して見える。
【００２９】
図１（ｄ）の左図は、図１（ａ）の左図に示す印刷面２の全面、即ちＹ、Ｃ、Ｍの基本色要素の表面に無色蛍光インキ３を印刷で付与したものを示す。この印刷面２も通常の白色光下で観察すると、全体的には並置混色により黒みがかった褐色に見える。
【００３０】
しかし、この印刷面２にブラックライト４を照射すると、Ｙ、Ｃ、Ｍの基本色要素の表面に付与された無色蛍光インキ３が励起されて発光する。この結果、この励起光がＹ、Ｃ、Ｍの基本色要素に照射して反射され、三色の夫々を呈する反射光が生じ、反射光の三色が加色混合して、図１（ｄ）の右図に示すように、印刷面２が白色に近い明るい灰色を呈して見える。
【００３１】
なお、ブラックライト４を生じる光源によってはブラックライト４の波長領域中の特定の波長が比較的強い場合があり、その場合は、光源からその特定の波長特有の色が比較的強いブラックライト４が印刷面２に照射されるから、上記印刷面２からの反射光に若干、その光源の色が加色されて、光源の色みを帯びることもある。或いは無色蛍光インキ３の材料によっては、特定の波長特有の色の光が比較的強く励起され、印刷面２からの反射光に若干、その色が加色されて、光源の色みを帯びることもある。
【００３２】
このようにブラックライト３の波長又無色蛍光インキ３の材料に起因して、無色蛍光インキ３から生じる励起光自体が色づいている場合、例えば赤みがかった色である場合は、図１（ｂ）の右図に示すように、励起光がＣの基本色要素を照射して反射されると、印刷面２中、Ｃの基本色要素は、励起光が無色若しくはほぼ無色の場合のような青色を呈することなく、赤みがかった光を加色したものとして見える。しかしながら、このように励起光自体の色が加色された場合でも、本原理及び後述する実施例、変形例で示す本発明の有するカラー潜像は、その呈する色は若干異なってくるが、カラー潜像自体の識別機能は十分発揮する。
【００３３】
図２（ａ）の左図は、図１と同様に、Ｙ、Ｃ、Ｍの三色の基本色要素から成る画素が多数、被印刷基材の表面に通常の色インキで印刷された印刷面を示しており、この印刷面は三色の基本色要素が網目状に配置されて成る色表示面を構成している。
【００３４】
三色の基本色要素の一組における夫々の基本色要素の配置は、前述のとおりいろいろな配置が考えられるが、この図２に示すものでは、夫々菱形をした三色の基本色要素Ｙ、Ｃ、Ｍの一組において、互いに隣接してＹ、Ｃ、Ｍが配置（略「へ」の字型に順次配置）されている。又、画素を構成する三色の基本色要素の組は、この図２で示すものでは三色の基本色要素の一組で一つの画素を構成するものを示している。
【００３５】
なお、ここでは図示はしないが、三色の基本色要素の二組で一つの画素としてもよい。三色の基本色要素の一組で一つの画素とする構成に較べて、各画素の大きさは大きくなる（粗くなる）が、色の濃淡（階調）は２倍きめ細かくなる。一般に画素を構成する三色の基本色要素の組が多くなると、画素は大きくなり粗くなるが階調表現は高まる。
【００３６】
図２（ａ）に示す色表示面を、通常の白色光下で観察すると、拡大鏡等を使用して微視的に観察するとＹ、Ｃ、Ｍの基本色要素が夫々観察できるが、全体として観察すると、図２（ａ）に示すように、並置混色によって黒みがかった褐色に見える。
【００３７】
図２（ｂ）は、図２（ａ）に示す色表示面５の一部Ｂの拡大図を示し、複数のＭの基本色要素のうち、所定の平面パターン（ここでは、数字の「１」というパターン）となるように、複数のＭの基本色要素を選択し、それらの表面に無色蛍光インキを印刷で付与して成る印刷面６を示す。図２（ｂ）において、無色蛍光インキを印刷で付与された基本色要素には説明の都合上、○印を付けた。
【００３８】
この印刷面６は、通常の白色光下で観察すると、図２（ａ）に示すように全体的には並置混色によって黒みがかった褐色に見える。しかし、この印刷面６にブラックライトを照射すると、Ｍの基本色要素の表面に付与された無色蛍光インキが励起されて発光する。
【００３９】
この結果、この励起光がＭの基本色要素に照射して反射され、図２（Ｃ）に示すように、無色蛍光インキが選択的に付与された複数のＭの基本色要素の部分が赤色を呈し、「１」というパターンとして観察することができる。
【００４０】
図３（ａ）は、図２（ａ）に示す色表示面５を上、中、下部の三つの領域に分けて、上部領域については、Ｙの基本色要素のみ表面に無色蛍光インキ３を印刷で付与し、中央領域については、Ｙ、Ｃ基本色要素のみ表面に無色蛍光インキを印刷で付与し、下部領域についてはＣの基本色要素のみ表面に無色蛍光インキを印刷で付与して成る印刷面７である。図３（ａ）において、無色蛍光インキを印刷で付与された基本色要素には説明の都合上、○印を付けた。
【００４１】
この印刷面７は、通常の白色光下で観察すると、図２（ａ）と同様に全体的には減色混合により黒みがかった褐色に見える。しかし、この印刷面７にブラックライトを照射すると、上部領域ではＹの基本色要素の表面に付与された無色蛍光インキ３が励起されて発光し、中央領域ではＹ、Ｃの基本色要素の表面に付与された無色蛍光インキ３が励起されて発光し、下部領域ではＣの基本色要素の表面に付与された無色蛍光インキ３が励起されて発光する。
【００４２】
この結果、図３（ｂ）に示すように、上部領域は、励起光がＹの基本色要素に照射して反射され黄色に見え、中央領域は、励起光がＹ、Ｃの基本色要素に照射して反射され黄色、青色が反射されて加法混色（並置混色）によって緑色に見え、下部領域は、励起光がＣの基本色要素に照射して反射され青色に見える。
【００４３】
図３（ｃ）は、図２（ｂ）と図３（ａ）に夫々示すものを組み合わせたものである。要するに、上述した図３（ａ）に示す印刷面において、さらに図２（ｂ）の左図に示すようにＭの基本色要素を所定のパターン（ここでは「１」のパターン）になるように選択して、選択されたＭの基本色要素表面に無色蛍光インキを印刷で付与して成る印刷面８を示す。図３（ｃ）において、無色蛍光インキを印刷で付与された基本色要素には説明の都合上、○印を付けた。
【００４４】
この印刷面８は、通常の白色光下で観察すると、図２（ａ）に示すように全体的には減色混合により黒みがかった褐色に見える。しかし、この印刷面８にブラックライト４を照射すると、図３（ｄ）に示すように、上部領域が黄色、中央領域が緑、下部領域が青の背景中に、赤色の「１」のパターンが見えることとなる。
【００４５】
以上説明した原理に基づいて、本発明に係る潜像表示体付き印刷物は想到されたものである。即ち、本発明に係る潜像表示体付き印刷物は、図１〜３で説明した、通常、白色光下で観察しても黒みがかった褐色としてしか見えない印刷面に、ブラックライト４を照射すると、所定の色、パターンが見えるという原理を利用することで、認証、偽造防止等のセキュリティー効果を有する印刷物を構成するものである。以下、これを実施例で説明する。
【００４６】
（実施例）
図４〜６は、本発明に係る潜像表示体付き印刷物の実施例を説明する図である。この実施例は、本発明に係る潜像表示体付き印刷物として、図４（ａ）にその印刷面を示すようなカラー潜像表示体付き身分証明書として適用した例である。
【００４７】
図４（ａ）において、カラー潜像表示体付き身分証明書９（以下単に、「身分証明書」という。）は、プラスチックや紙等で形成された被印刷基材１上に、この身分証明書９の使用者を認識するためのいろいろな情報が印刷されている。例えば、この実施例では、使用者の顔写真１０、氏名１１、ＩＤ番号１２等の可視的情報が印刷されている。
【００４８】
さらに、身分証明書９には、発行者名（組織名）１３が印刷され、その証明印１４が付与されている。ＩＤ番号の左側には身分証明書の発行組織のロゴマーク１５が印刷されている。このロゴマーク１５は、例えば、図４（ｂ）にその印刷面を拡大して示すように、上部が黄色、中部が緑、下部が青でカラー印刷されたスペードマークである。そして、身分証明書９の上縁に沿って磁気ストライプ１６が設けられ、これに使用者の暗証番号が記録されている。
【００４９】
この実施例の特徴は、身分証明書の表面の一部（全面であってもよい。）に、認証、偽造防止機能を有するカラー潜像表示体が設けられている構成である。このカラー潜像表示体は、身分証明書の可視的情報である使用者の顔写真、氏名、ＩＤ番号、発行者名（組織名）、証明印等と対応して関連づけられた有意味な情報をカラー潜像として設けたものであり、通常の白色光の下では見ることができないが、ブラックライト４を照射することで簡単に可視状態となって見ることができる。
【００５０】
このカラー潜像表示体１７は、実施例の身分証明書９では、図４（ａ）に示すように、右下隅に被印刷基材１の表面に平面的に矩形に印刷されて形成されている。このカラー潜像表示体１７を、図４（ｃ）に示すように、白色光下で観察した際に見える状態を図４（ｄ）に示す。そして、その一部Ｄを拡大鏡等で拡大して観察した際に見える状態を図４（ｅ）として示し、そのＦ−Ｆ断面図（紙面に垂直な断面図）を図４（ｆ）として示す。
【００５１】
カラー潜像表示体１７は、図４（ｅ）、（ｆ）にその一部の拡大図で示すとおりに、Ｙ、Ｃ、Ｍの三色の基本色要素から成る画素が多数、被印刷基材１の表面に通常の色インキで印刷された印刷面をその全面に有し、この印刷面は三色の基本色要素が網状に配置されて成る色表示面１８を構成している。この実施例では、三色の基本色要素の一つの組で一つの画素を構成している。なお、画素を構成する三色の基本色要素の組の数と画素の粗さ及び階調表現については、上述の原理の説明の通りである。
【００５２】
カラー潜像表示体１７のカラー潜像を図５で説明する。カラー潜像は、色表示面を構成する網状に配置された三色の多数の基本色要素上に一定の平面的パターンとなるように選択的に無色蛍光インキ３で印刷され、図５（ｃ）に示すように、三色の多数の基本色要素上に無色蛍光インキ３が選択的に付与されて成る。
【００５３】
なお、この実施例では、図５（ｃ）に示すように、無色蛍光インキ３による印刷面のさらに表面に無色透明の保護膜１９を付与しているが、これは必ずしも必須要件ではなく必要に応じて付与すればよい。
【００５４】
図５（ａ）は、説明の便宜上、色表示面１８において無色蛍光インキ３が付与された基本色要素のみをその基本色要素の色（色インキの色）で表示したものを示す。この実施例のカラー潜像表示体１７は、図５（ａ）に示すような三つのカラー潜像２０、２１、２２を有する。
【００５５】
図５（ａ）の右側のカラー潜像２０は、色表示面の上にスペード状のパターンの範囲内にあるＹ、Ｃ、Ｍの三色の基本色要素の全てについて、無色蛍光インキ３で印刷することにより、その表面に付与されたものである。
【００５６】
図５（ａ）の中央のカラー潜像２１は、やはりスペード状のパターンを有するものであるが、色表示面の上で、スペード状のパターンの範囲内にあるＭの基本色要素のみについて選択的に無色蛍光インキ３で印刷することにより、このスペード状のパターンの範囲内にあるＭの基本色要素のみの表面に無色蛍光インキ３が付与されたものである。
【００５７】
図５（ａ）の左側のカラー潜像２２は、やはりスペード状のパターンを有するものであり、図５（ｂ）に示すように、スペード状のパターンの上部領域についてはＹの基本色要素のみ、中央部領域についてはＹとＣの基本色要素のみ、下部領域についてはＣ基本色要素のみについて、夫々選択的に無色蛍光インキ３で印刷し蛍光インキが付与されている。さらに、スペード状のパターン内に「２」という符号（有意味の符号情報）が形成される領域についてはＭの基本色要素のみについて選択的に無色蛍光インキ３で印刷し蛍光インキが付与されている。
【００５８】
（作用）
以上の構成から成る実施例の身分証明書９の作用について、そのカラー潜像表示体１７を中心にして説明する。この身分証明書９は上述のとおり白色光の下で観察すると、図４（ａ）に示すとおり、カラー潜像表示体１７は黒みがかった褐色に見え、いずれのカラー潜像も見えない。
【００５９】
即ち、カラー潜像表示体１７を通常の白色光下で、拡大鏡等を使用して微視的に観察するとＹ、Ｃ、Ｍの基本色要素が夫々観察できる（図４（ｅ）参照）が、拡大鏡等使用せずに通常の状態で観察すると、Ｙ、Ｃ、Ｍの三色の基本色要素が並置混色によって黒みがかった褐色に見える（図４（ｃ）参照）。このために、この身分証明書９のカラー潜像表示体１７は、通常の使用状態ではその情報が不可視となり見ることができない。
【００６０】
今、図６（ｂ）に示すように、ブラックライト４をカラー潜像表示体１７に照射すると、図１〜３でその原理で説明したように、無色蛍光インキ３が励起されて励起光を生じ、これがその下の基本色要素により反射されて、基本色要素の色を呈する。この結果、図６（ａ）に示すように、カラー潜像表示体１７には三つのカラー潜像２０、２１、２２が見える。なお、図６（ａ）では点線部分で示す身分証明書及びその可視情報は、暗所でブラックライト４照射しているので、実際は暗いために見えない。
【００６１】
図６（ｃ）は、図６（ａ）のカラー潜像表示体１７を拡大した図である。この図において、右側のカラー潜像２０は、励起光がＹ、Ｃ、Ｍの三色の基本色要素により反射し、加法混色（並置混色）によって、白色に近い灰色を呈したスペードが見える。中央のカラー潜像２１は励起光がＭ色の基本色要素により反射するので赤色を呈したスペードが見える。
【００６２】
左側のカラー潜像２２は、上部領域では励起光がＹ色の基本色要素により反射し黄色を呈し、中央部領域では、励起光がＹ色及びＣ色の基本色要素により反射し、これらが加色混合して緑色を呈し、下部領域では励起光がＣ色の基本色要素により反射し青色を呈し、結局、上部が黄色、中央部が緑色、下部が青色に見えるスペードが見える。さらに、このスペード内に、Ｍ色の基本色要素により反射し赤色の「２」というパターンが見える。
【００６３】
この左側のカラー潜像２２を、身分証明書９のロゴマーク１５のスペードと同じ形状でしかもその上中下の各部に黄色、緑、青の同じ配色とするように色情報において対応して関連づけておくことにより、有意味な情報とし、このカラー潜像とロゴマーク１５に形状と配色を同定して、身分証明書９の認証、真偽判別等が可能である。さらに、左側のカラー潜像内の「２」という数字を、ＩＤ番号１２の「２」と予め対応して関連づけておくことにより、有意味な情報とし、この数字の同定を行って同様に、身分証明書９の認証、真偽判別等が可能である。
【００６４】
又、カラー潜像としては、磁気ストライプ１６で記録された暗証番号（例．「１４７２」）と対応して関連づけた別の暗証番号（例．各桁に＋１した「２５８３」）を、偶数はＹ色、奇数はＭ色の基本色要素のみで色を呈するように付与する等の構成も考えられる。このようなカラー潜像の暗証番号は、後述する暗号付加装置により生成する。
【００６５】
以上のとおり、本発明では、カラー潜像表示体１７のカラー潜像を、身分証明書９に印刷された可視的な情報（例えば、文字、番号、顔写真、ロゴマーク、模様、図柄等）や不可視情報（例えば、磁気ストライプ）と対応して関連づけた有意味情報として付与する。カラー潜像表示体１７で付与する有意味な情報としては、カラー付きの文字、番号、マーク、模様、図柄等で付与する。そして、ブラックライト４を照射して、これらのカラー潜像を確認して、認証や真偽判別を可能とする。
【００６６】
（実施例の変形例）
ところで、上記実施例では、身分証明書９に磁気ストライプ１６を付与した構成を示したが、磁気ストライプでなくても、図７（ａ）に示すように、磁気ストライプの代わりに、バーコード２３を身分証明書９に設けて、この暗証番号との対応して関連づけたカラー潜像を付与してもよい。その他、磁気インキ、ホログラフィー等の不可視な情報を身分証明書９に付与して、この情報と対応して関連づけた有意味情報をカラー潜像で付与してもよい。
【００６７】
さらに、図７（ｂ）に示すように、磁気ストライプの代わりに、第２のカラー潜像表示体２４を設け、この第２のカラー潜像表示体１７のカラー潜像と対応して関連づけたカラー潜像を基本となるカラー潜像表示体１７に付与してもよい。この考えをさらに発展して、印刷物にカラー潜像表示体１７を複数設け、複数のカラー潜像表示体１７のカラー潜像を互いに対応して関連づけた有意味情報を付与するような構成としてもよい。
【００６８】
さらに、図７（ｃ）に示すように、身分証明書９の一部に富士山の外形でカラー潜像表示体２５（白色光下では、黒みがかった褐色の可視情報として見える）を形成し、頂部（Ｙ、Ｃ、Ｍの基本色要素の表面に無色蛍光インキ３が付与され、中間部（Ｃ、Ｍの基本色要素の表面に無色蛍光インキ３が付与され裾部（Ｃの基本色要素の表面に無色蛍光インキ３が付与されている構成としてもよい。
【００６９】
このカラー潜像表示体２５にブラックライト４を照射すると、図７（ｄ）に示すように、頂部が白色に近い灰色に見え、中間部が紫色に見え、裾部に青色の低い山並みが見える富士山特有の色つきの図柄が浮き上がって見える。このように、図柄（例．富士山の外観）の可視情報（黒みがかった褐色に見えるカラー潜像表示体２５）と対応して関連づけた有意味なカラー潜像（例．富士山特有なカラー画像）を一体的に設けた構成としてもよい。
【００７０】
さらに、身分証明書９の被印刷基材１を、光が透過する透明なプラスチック材料等で形成し、その表面に上記実施例と同じ構造のカラー潜像表示体１７を設けた構成とすれば、ブラックライト４によるカラー潜像を、上述のような反射光でなく、図７（ｅ）に示すように、ブラックライト４の照射側と反対側から透過光により観察することも可能である。
【００７１】
さらに、ブラックライト４を照射した際に生じる、カラー潜像表示体１７からの反射光（又は透過光でもよい。）を、図７（ｆ）で示すように、特定色の波長が透過するフィルタ２６を通して観察することにより、可視カラー潜像の中に、さらにこの特定色から成る有意味情報を見えるように、カラー潜像表示体１７の蛍光インキによる印刷面選択的に形成する構成としてもよく、これにより、より一層の認証、偽造防止効果を高めることができる。
【００７２】
（潜像表示体付き印刷物の作成装置）
図８は、潜像表示体付き印刷物の作成装置２７（以下、「作成装置」という。）を説明する図である。この作成装置２７は、個人情報判別装置２８、画像変換装置２９、暗号付加装置３０、出力データ格納メモリ３１、色表示面作成装置２７３２、画素発生装置３３及び蛍光印刷出力装置３４を含み、実際はコンピュータが利用される。
【００７３】
この作成装置２７の構成を、特定の個人の身分証明書９に付されたカラー潜像表示体１７を形成するプロセスを通して説明する。このカラー潜像表示体１７は、説明の都合上、図５に示すカラー潜像表示体１７と同じものとする。
【００７４】
まずカラー原図（図５（ａ）で説明した色付された三つのスペードマークの基となるカラー原図）をスキャナ等で作成装置２７に入力する。このカラー原図データは、個人情報判別装置２８において、上記特定の個人情報のカラー画像要素として登録され。
【００７５】
カラー原図データは、さらに画像変換装置２９において、複数の画素から成るデジタル画像データ（例．ビットマップ画像データ）に変換される。そして、暗号付加装置において作成された有意味情報である「２」という符号（図５（ａ）の左側のスペード中に付与されている。）が、画像変換装置２９においてデジタルフォントデータとされて、上記デジタル画像データの中央位置に配置されるように組み合わされ、デジタル画像データとデジタルフォントデータとから成るデジタルデータが形成される。
【００７６】
ところで、有意味情報である「２」という符号は、暗号付加装置３０において、有意味符号作成ソフトより形成される。有意味符号作成ソフトの具体例としては、例えば、作成装置２７に、身分証明書９のＩＤ番号（図４（ａ）の身分証明書９中の「１２３４５」という番号）がキーボード等で入力されている場合、そのＩＤ番号中の左から２番目の数字が有意味情報として自動的に選択される、というようなものである。
【００７７】
これにより、身分証明書９のＩＤ番号とカラー潜像表示体１７が対応して関連づけられる。なお、有意味情報である「２」という符号は、個人情報判別装置２８に登録するようにしてもよい。
【００７８】
画像変換装置２９において形成された上記デジタルデータは、出力データ格納メモリ３１に格納される。
【００７９】
本発明のカラー潜像表示体１７は、色表示面１８を有するが、この色表示面１８は、Ｙ、Ｃ、Ｍの三色の基本色要素の１組又は複数の組から成る画素が複数配列されて構成される。この画素は、画素発生装置３３により形成される。画素の構成、要するに三色の基本色要素を何組から構成するかは、キーボードで入力された画素構成データに基づいて予め決められており、画素構成データに従って画素発生装置３３は自動的に画素を発生する。
【００８０】
このようにして発生された画素は、色表示面作成装置３２において、例えば網状に集合、配列されて、色表示面が作成される。そして、出力データ格納メモリ３１に格納された上述のデジタルデータが色表示面作成装置３２に送られ、色表示面を構成する画素のうち蛍光印刷される画素が選択される。これにより、色表示面１８中の蛍光印刷される画素が全て選択されたカラー潜像デジタルデータが形成される。
【００８１】
色表示面作成装置３２において形成されたカラー潜像デジタルデータに基づいて、蛍光印刷出力装置３４において、色表示面１８中の選択された画素の表面に無色蛍光インキ３により蛍光印刷が施され、図５（ａ）に示すカラー潜像２０〜２２の付与されたカラー潜像表示体１７が形成される。
【００８２】
この身分証明書９の認証や真偽判別では、ブラックライト４をカラー潜像表示体１７に照射してカラー潜像２０〜２２を可視状態に表出させて、このカラー潜像と予め個人情報判別装置２８に登録されているカラー原図や暗証番号等の有意味情報を表示装置で表示して対比し、特にそれらの色情報を対比して、認証、真偽判別を行うことができる。
【００８３】
以上、本発明に係る潜像表示体付き印刷物及びその作成装置の実施の形態を実施例に基づいて説明したが、本発明はこのような実施例に限定されるものではなく、特許請求の範囲に記載された技術的事項の範囲内でいろいろな実施例があることは言うまでもない。
【００８４】
【発明の効果】
本発明は以上の構成であるから次の効果が生じる。
（１）印刷物に付与された可視又は不可視の情報と対応して関連づけられたカラー潜像表示体にブラックライトを照射することにより、認証、真偽判別の際に、特に被覆手段で覆うようなことをしなくても、きわめて簡単に、認証、真偽判別することができる。
【００８５】
（２）印刷物の可視又は不可視の情報と対応して関連づけられ有意味情報として、符号や文字だけでなく、カラー潜像表示体は、きわめて多彩な色調を表現することができ、微妙な色調による認証データを付与することができるので、偽造防止効果はきわめて大きい。
【００８６】
（３）カラー潜像表示体と対応して関連づけられる印刷物の可視又は不可視の情報は、蛍光インキ、赤外線吸収インキ、赤外線反射インキ、サーモクロミックインキ、フォトクロミックインキ及びメタメリックインキから選択された１若しくは２以上の特殊インキ、磁気ストライプ、磁気インキ、電子すかし及びＩＣチップから選択された１若しくは２以上の電磁的記録、バーコード又はホログラムの不可視情報手段で付与されたもの等いろいろな手段で付与された符号、文字、マーク、模様等が利用可能であるから、本発明の潜像表示体付き印刷物は、身分証明書、ＩＤカード、通行証、入場券、パスポート等の身分、権利、資格等を証明する書類、さらに紙幣、切手、印紙、株券、再建、商品券等の有価証券等の認証や真偽判別を必要とする各種の印刷物に適用可能である。
【図面の簡単な説明】
【図１】本発明に係る潜像表示体付き印刷物の原理を説明する図である。
【図２】本発明に係る潜像表示体付き印刷物の原理を説明する図である。
【図３】本発明に係る潜像表示体付き印刷物の原理を説明する図である。
【図４】本発明に係る潜像表示体付き印刷物の実施例を説明する図である。
【図５】図５の要部を説明する図である。
【図６】本発明に係る潜像表示体付き印刷物の実施例の作用を説明する図である。
【図７】本発明に係る潜像表示体付き印刷物の実施例の変形例を説明する図である。
【図８】本発明に係る潜像表示体付き印刷物の作成装置２７を説明する図である。
【符号の説明】
１    被印刷基材
２、６、７、８    印刷面
３    無色蛍光インキ
４    ブラックライト
５    色表示面
９    身分証明書
１０    顔写真
１１    氏名
１２    ＩＤ番号
１４    証明印
１５    ロゴマーク
１６    磁気ストライプ
１７、２５    カラー潜像表示体
１８    色表示面
１９    保護膜
２０、２１、２２    カラー潜像
２３    バーコード
２４    第２のカラー潜像表示体
２６    フィルタ
２７    作成装置
２８    個人情報判別装置
２９    画像変換装置
３０    暗号付加装置
３１    出力データ格納メモリ
３２    色表示面作成装置
３３    画素発生装置
３４    蛍光印刷出力装置
【図１】
2004181791.tif 000003
【図２】
2004181791.tif 000004
【図３】
2004181791.tif 000005
【図４】
2004181791.tif 000006
【図５】
2004181791.tif 000007
【図６】
2004181791.tif 000008
【図７】
2004181791.tif 000009
【図８】
2004181791.tif 000010